(57)【要約】【課題】分割可能な構成で乗用車の荷台に載せて運搬可能となる看板を提供する。【解決手段】２枚以上の平板１０，２０の１つの端面同士を突き合わせて、固定部３０で固定することにより、表示面３と裏面５とを有する１つの平面６０を形成する。形成された１つの平面６０の裏面５において、突き合わされた端面近傍に、端面に平行に設けた補強材４０ａ，４１ｂと、補強材４０ａ，４１ｂの間に挟み込むことによって、２枚の平板１０，２０を突き合わされた端面同士を密着させる密着用部材５０ａ，５０ｂを備えた看板。【選択図】図２
2017116637.tif 000002
【特許請求の範囲】
【請求項１】
２枚以上の平板と、
前記２枚以上の平板の１つの端面同士を突き合わせて固定することにより、表示面と裏面とを有する１つの平面を形成する固定部と、
を備えたことを特徴とする看板。
【請求項２】
請求項１に記載の看板において、
前記固定部は、
前記突き合わされた端面以外の端面のうち前記２枚以上の平板の端面で１つの端面を形成する部分を、前記突き合わされた端面が分離しないように固定することを特徴とする看板。
【請求項３】
請求項１又は請求項２に記載の看板において、
前記固定部により、前記２枚以上の平板を突き合わせて１つの平面を形成した場合に、前記形成された１つの平面の裏面において、前記突き合わされた端面近傍に、前記突き合わされた端面に平行に設けた補強材と、
前記固定部で前記２枚以上の平板を固定したとき、前記２枚以上の平板を突き合わされた端面近傍の前記補強材の間に挟み込むことによって、前記２枚以上の平板を突き合わされた端面同士を密着させる密着用部材と、
を備えたことを特徴とする看板。
【発明の詳細な説明】
【技術分野】
【０００１】
本発明は、搬送を容易にできるようにした看板に関する。
【背景技術】
【０００２】
従来、表示面のある主脚と、自立するための控えとなる副脚を有する自立折り畳み式立て看板であって、看板一組となる主脚と副脚にまたがる側面に表示面の内容が明示されている自立折り畳み式立て看板があった。この自立折り畳み式立て看板を横向きに立て掛けて収納した場合、目的の看板を容易に探すことができ、更に抜き出して取り出す時に主脚と副脚の組を瞬時に明瞭に区別でき取り出し易いものである（例えば、特許文献１参照）。
【先行技術文献】
【特許文献】
【０００３】
【特許文献１】特願２０１４−２２４９１８号公報
【発明の概要】
【発明が解決しようとする課題】
【０００４】
ところが、上記自立折り畳み式立て看板では、折り畳んだ状態では、主脚と副脚とを一体化、つまり表示面とそれを支える副脚とを一体化することはできるが、看板が縦長の場合には、表示面の部分が大きい。したがって、折り畳んだ状態であっても、表示面の部分が大きすぎて、乗用車などの荷台に乗せて運搬することができないという問題があった。
【０００５】
本発明は、こうした問題に鑑みなされたもので、分割可能な構成で乗用車の荷台に載せて運搬可能となる看板を提供することを目的とする。
【課題を解決するための手段】
【０００６】
本発明は、上述の課題の少なくとも一部を解決するためになされたものであり、以下の適用例として実現することが可能である。なお、本欄における括弧内の参照符号や補足説明等は、本発明の理解を助けるために、後述する実施形態との対応関係を示したものであって、本発明を何ら限定するものではない。
【０００７】
[適用例１]
２枚以上の平板（１０，２０）と、前記２枚以上の平板（１０，２０）の１つの端面同士を突き合わせて固定することにより、表示面（３）と裏面（５）とを有する１つの平面（６０）を形成する固定部（３０）と、を備えたことを要旨とする。
【０００８】
このような看板（１）では、固定部（３０）により、２枚以上の平板（１０，２０）の１つの端面同士を突き合わせて固定することにより、表示面（３）と裏面（５）とを有する１つの平面（６０）を形成する。
【０００９】
つまり、２枚以上の平板（１０，２０）によって、表示面（３）と裏面（５）とを有する１つの平面（６０）を形成している。
つまり、１つの平面（６０）を２枚以上の平板（１０，２０）で形成しているので、看板（１）を搬送する場合には、小さな２枚以上の平板（１０，２０）とし、看板として使用する場合には、大きな１枚の平面（６０）とすることができる。
【００１０】
換言すれば、２枚以上の平板（１０，２０）の大きさを適切なものにすることで、乗用車の荷台に載せて運搬可能となる看板（１）とすることができる。
［適用例２］
適用例１に記載の看板において、前記固定部（３０）は、前記突き合わされた端面以外の端面のうち前記２枚以上の平板（１０，２０）の端面で１つの端面（１４）を形成する部分を、前記突き合わされた端面が分離しないように固定することを要旨とする。
【００１１】
このような看板（１）では、２枚以上の平板（１０，２０）によって１つの平面（６０）が形成される。このとき、固定された２枚以上の平板（１０，２０）の端面のうち突き合わされた端面以外の端面が形成されるが、このうち２枚以上の平板（１０，２０）で１つの端面（１４）が形成される。
【００１２】
そして、固定部（３０）により、この端面（１４）を、突き合わされた端面が分離しないように固定することにより、簡易な構成で１つの平面（６０）を形成し固定することができる。
【００１３】
［適用例３］
適用例１又は適用例２に記載の看板（１）において、前記固定部（３０）により、前記２枚以上の平板（１０，２０）を突き合わせて１つの平面（６０）を形成した場合に、前記形成された１つの平面（６０）の裏面（５）において、前記突き合わされた端面近傍に、前記突き合わされた端面に平行に設けた補強材（４０ａ，４１ｂ）と、前記固定部（３０）で前記２枚以上の平板（１０，２０）を固定したとき、前記２枚以上の平板（１０，２０）を突き合わされた端面近傍の前記補強材（４０ａ，４１ｂ）の間に挟み込むことによって、前記２枚以上の平板（１０，２０）を突き合わされた端面同士を密着させる密着用部材（５０ａ，５０ｂ）と、を備えたことを要旨とする。
【００１４】
つまり、固定部（３０）で固定する場合、２枚以上の平板（１０，２０）の突き合わされた端面に、表示面（３）から見た場合に隙間ができ、表示内容が明確に視認できない場合がある。
【００１５】
そこで、このように、補強材（４０ａ，４１ｂ）を裏面（５）側の突き合わせ端部の近傍に、突き合わされた端面に平行に設け、固定部（３０）により固定したときに、補強材（４０ａ，４１ｂ）の間に密着用部材（５０ａ，５０ｂ）を挟み込むことによって、密着用部材（５０ａ，５０ｂ）を回転中心として、突き合わされた端面の表示面（３）側の端部端面同士が押されて密着し、端部の端面同士の隙間がなくなる。
【００１６】
つまり、表示面（３）から見た場合の隙間がなくなり、表示内容を明確に視認することができる。
【図面の簡単な説明】
【００１７】
【図１】看板の概略の外観を示す斜視図である。
【図２】看板の概略の構造を示す三面図である。
【図３】看板の固定部、密着用部材の概略の構造を説明するための裏面側から見た拡大図である。
【発明を実施するための形態】
【００１８】
以下、本発明が適用された実施形態について図面を用いて説明する。なお、本発明の実施の形態は、下記の実施形態に何ら限定されることはなく、本発明の技術的範囲に属する限り種々の形態を採りうる。
【００１９】
［第１実施形態］
（看板１の構造）
まず、図１、図２及び図３に基づいて看板１の構造について説明する。図１は、看板１の概略の外観を示す斜視図である。図２は、看板１の概略の構造を示す三面図であり、図２（ａ）は正面図、図２（ｂ）は裏面図、図２（ｃ）は側面図である。図３は、看板１の固定部３０、密着用部材５０ａ，５０ｂの概略の構造を説明するための裏面側から見た、固定部３０近傍の拡大図である。
【００２０】
図１に示すように看板１は、２枚の平板１０，２０、固定部３０を備えている。
図２に示すように、平板１０は、ベニヤ板などの薄手の木製の板材やステンレスなどの薄手の金属の板材であり、それぞれ長方形の板材である。また、平板１０の４つの端面のうち長手方向の両端部の裏面には補強材４０ａ，４０ｂ、また、短手方向の両端部裏面には、補強材４０ｃ，４０ｄが配置されている。本実施形態において、この補強材４０ａ，４０ｂ，４０ｃ，４０ｄは、木製である。
【００２１】
また、平板１０の下端の短手辺の一端(外側端）に、長手方向に平行の脚部１２ａが設けられている。この脚部１２ａが看板１のいわゆる脚となり、看板１を立て看板とすることができる。脚部１２ａは、補強材４０ａ〜４０ｄと同じ材料（本実施形態では木製）で形成されている。
【００２２】
図２に示すように、平板２０は、平板１０と同様に、ベニヤ板などの薄手の木製の板材やステンレスなどの薄手の金属の板材であり、それぞれ縦長の板材である。また、平板２０の４つの端面のうち長手方向の両端部裏面には補強材４１ａ，４１ｂ、また、短手方向の両端面には、補強材４１ｃ，４１ｄが配置されている。
【００２３】
また、平板２０の一の短手辺の一端（外側端）に、長手方向に平行の脚部２２ｂが設けられている。この脚部２２ｂが看板１のいわゆる脚となり、看板１を立て看板とすることができる。脚部２２ｂは、補強材４１ａ〜４１ｄと同じ材料（本実施形態では木製）で形成されている。
【００２４】
さらに、平板１０，２０には、それぞれ支柱１３，２３が設けられている。支柱１３は、木製の２本の平行に配置された縦部材１３ａ，１３ｂと、縦部材１３ａ，１３ｂの長さの約１／２の部分で縦部材１３ａ，１３ｂに渡された横部材１３ｃとでＨ字形状に形成されている。
【００２５】
支柱１３の縦部材１３ａ，１３ｂの一端（上端）の端部近傍が、平板１０の長手方向の両端面に配置されている補強材４０ｃ，４０ｄの上端から約１／３の位置に、蝶番１３ｄ、１３ｅで回動可能に取り付けられている。
【００２６】
この縦部材１３ａ，１３ｂの他端（下端）と脚部１２ａの下端部との距離が約３０ｃｍとなるように開いた状態で脚部１２ａの下端部と縦部材１３ａ，１３ｂの下端部を地表面に接地させることにより、看板１を立て看板として使用できるようになっている。
【００２７】
支柱２３も支柱１３と同様に、支柱２３の縦部材２３ａ，２３ｂの一端（上端）の端部近傍が、平板２０の長手方向の両端面に配置されている補強材４１ｃ，４１ｄの上端から約１／３の位置の側面に、蝶番２３ｄ、２３ｅで回動可能に取り付けられている。
【００２８】
この縦部材２３ａ，２３ｂの他端（下端）と脚部２２ｂの下端部との距離が約３０ｃｍとなるように開いた状態で脚部２２ｂの下端部と縦部材２３ａ，２３ｂの下端部を地表面に接地させることにより、看板１を立て看板として使用できるようになっている。
【００２９】
図２及び図３に示すように、固定部３０は、２枚の平板１０，２０の１つの端面同士を突き合わせて固定することにより、表示面３と裏面５とを有する１つの平面６０を形成する部分であり、突き合わされた端面以外の端面のうち２枚の平板１０，２０の端面で１つの端面１４を形成する部分を、突き合わされた端面が分離しないように固定する。
【００３０】
具体的には、固定部３０は、固定用部材３１及び２本のボルト３２を備えている。固定用部材３１は、鉄などの金属の板材を、断面がコの字形状となるように形成した部材であり、コの字の凹部が、平板１０，２０の短手側の補強材４０ｃ，４１ｃに嵌まり込むように、換言すれば、補強材４０ｃ，４１ｃの上面及び前後面をコの字の凹部で覆うように取り付ける。
【００３１】
また、固定用部材３１の上面（コの字形状の底面）の２箇所にボルト３２を通すための穴３１ａ，３１ｂが穿たれている。
さらに、短手側の補強材４０ｃ，４１ｃには、固定用部材３１に穿たれた２箇所の穴３１ａ，３１ｂに対応する位置（補強材４０ｃ，４１ｃに固定用部材３１を装着したときに、２箇所の穴３１ａ，３１ｂに対応する位置）にボルト３２を通す穴４０ｅ，４１ｅが穿たれている。
【００３２】
このように、短手側の補強材４０ｃ，４１ｃに固定用部材３１を装着し、２本のボルト３２を固定用部材３１の穴３１ａ，３１ｂと穴４０ｅ，４１ｅに通し、ナット３３で締め付けることにより、固定用部材３１を補強材４０ｃ，４１ｃに固定し、２枚の平板１０，２０を１つの平面６０とする。
【００３３】
また、補強材４０ａ，４１ｂは、固定部３０により、２枚の平板１０，２０を突き合わせて１つの平面６０を形成した場合に、形成された１つの平面６０の裏面５において、突き合わされた端面近傍に、突き合わされた端面に平行に設けた部材である。
【００３４】
密着用部材５０ａ，５０ｂは、固定部３０で２枚の平板１０，２０を固定したとき、２枚の平板１０，２０を突き合わされた端面近傍の補強材４０ａ，４１ｂの間に挟み込むことによって、２枚の平板１０，２０を突き合わされた端面同士を密着させる部材である。
【００３５】
密着用部材５０ａ，５０ｂは、直方体のゴム製の部材であり、密着用部材５０ａは、補強材４０ａの上部に接着剤で固定され、密着用部材５０ｂは、補強材４１ｂの下部に接着剤で固定されている。
【００３６】
（看板１の使用方法）
次に、以上のような構成の看板１の使用法について図２及び図３に基づき説明する。
（１）図２（ｃ）に示すように、平板１０の支柱１３及び平板２０の支柱２３を開き、平板１０と平板２０を地表面に立てる。
【００３７】
（２）図２（ａ）及び図３に示すように、平板１０及び平板２０の長手方向の端面を突き合わせ、平板１０と平板２０との長手方向の端面を突き合わせて１つの平面６０となるようにした場合に形成される１つの上端面１４側の補強材４０ｃ，４１ｃ上面及び前後面を覆うように被せる。
【００３８】
（３）図３に示すように、固定用部材３１の上面（コの字形状の底面）の２箇所の穴３１ａ，３１ｂと補強材４０ｃ，４１ｃの２箇所の４０ｅ，４１ｅにそれぞれボルト３２通し、ナットで締め付けることにより、固定用部材３１を補強材４０ｃ，４１ｃに固定し、２枚の平板１０，２０を１つの平面６０とする（図１、図２参照）。
【００３９】
（看板１の特徴）
以上のような看板１では、１つの平面６０を２枚の平板１０，２０で形成しているので、看板１を搬送する場合には、平面６０に比べて小さな２枚の平板１０，２０とし、看板として使用する場合には、大きな１枚の平面６０とすることができる。
【００４０】
換言すれば、２枚の平板１０，２０の大きさを適切なものにすることで、乗用車の荷台に載せて運搬可能となる看板１とすることができる。
また、２枚の平板１０，２０で１つの端面１４（上端面）が形成される。この端面１４を固定部３０により、突き合わされた端面が分離しないように固定することにより、簡易な構成で１つの平面６０を形成し固定することができる。
【００４１】
また、固定部３０で固定する場合、２枚の平板１０，２０の突き合わされた端面に、表示面３から見た場合に隙間ができ、表示内容が明確に視認できない場合がある。
しかし、補強材４０ａ，４１ｂを裏面５側の突き合わせ端部の近傍に、突き合わされた端面に平行に設け、固定部３０により固定したときに、補強材４０ａ，４１ｂの間に密着用部材５０ａ，５０ｂを挟み込んでいる。
【００４２】
したがって、密着用部材５０ａ，５０ｂを回転中心として、突き合わされた端面の表示面３側の端部端面同士が押されて密着し、端部の端面同士の隙間がなくなる。
つまり、表示面３から見た場合の隙間がなくなり、表示内容を明確に視認することができる。
【００４３】
［その他の実施形態］
（１）上記実施形態では、看板１を形成する平板１０，２０を２枚としたが、３枚以上の平板を用いてもよい。この場合には、両端の平板の外側端の下部に脚部１２ａを設ければよい。
【００４４】
（２）上記実施形態では、平板１０，２０を、木製や金属製の薄板の４端部分を補強材４０ａ〜４０ｄ，４１ａ〜４１ｄで補強していたが、木製や金属製の縦長の四角い枠を形成し、その枠に、木製や金属製の薄板あるいは塩化ビニールなどの樹脂の薄膜を取り付けるようにしてもよい。
【００４５】
（３）２枚の平板１０，２０が突き合わされた端面部分を折返線として折り畳み可能に連結する連結部７０を備えるようにしてもよい。このようにすると、２枚の平板１０，２０が常に連結され、さらに、連結部７０によって、折り畳み可能な構成となり、２枚の平板１０，２０の大きさを適切なものにすることで、乗用車等の荷台に載せて運搬可能となる利便性のよい看板１とすることができる。
【００４６】
なお、連結部７０としては、蝶番を平板１０と平板２０の突き合わせ端を連結するように、上下２箇所程度取り付ける。
【符号の説明】
【００４７】
１… 看板  ３… 表示面  ５… 裏面  １０… 平板  １２ａ… 脚部  １３… 支柱  １３ａ，１３ｂ… 縦部材  １３ｃ… 横部材  １３ｄ… 蝶番  １４… 端面  ２０… 平板  ２２ｂ… 脚部  ２３… 支柱  ２３ａ，２３ｂ… 縦部材  ２３ｃ… 横部材  ２３ｄ… 蝶番  ３０… 固定部  ３１… 固定用部材  ３１ａ，３１ｂ… 穴  ３２… ボルト  ３３… ナット  ４０ａ，４０ｂ，４０ｃ，４０ｄ… 補強材  ４１ａ，４１ｂ，４１ｃ，４１ｄ… 補強材  ４０ｅ，４１ｅ… 穴  ５０ａ，５０ｂ… 密着用部材  ６０… 平板  ７０… 連結部。
【図１】
2017116637.tif 000003
【図２】
2017116637.tif 000004
【図３】
2017116637.tif 000005